(57)【特許請求の範囲】
【請求項１】
長方形状の３辺かつ正面視コ字型状の側壁を有し、かつ建物の設置部の壁板の背面側に配設される金属材製の配線ボックス本体と、前記３辺で形成された側壁の上部開口部に一体あるいは固定状態で取付けられ、かつ該配線ボックス本体に配線器具を取付けるための少なくとも２個以上の取付部を有するカバー部と、前記配線ボックス本体のボックス支持板に取り付けられる側の端部に外方へ突出するように設けられた取付金具と、この取付金具と前後方向にスライド移動可能に係合し、前記配線ボックス本体を前後方向にスライド移動可能に前記建物の設置部に設置することができる、あるいは前記建物の設置部にボックス支持具を介して設置することができるビス挿入孔が形成された前記ボックス支持板とから成り、前記取付部に螺合する複数のビスを介して前記配線ボックス本体を、そのカバー部が前記建物の設置部の壁板の背面に密着状態と成るようにすることができることを特徴とする配線ボックス。
【請求項２】
ボックス支持板は取付金具より脱落しないようにストッパーが設けられていることを特徴とする請求項１記載の配線ボックス。
【請求項３】
前記３辺が正面視コ字型状の側壁は折り曲げられて隙間なく形成されるとともに、該側壁に連続するカバー部も折り曲げ形成され、それらの接続部は隙間なく形成された配線ボックス体と、前記側壁の開口する一辺には、この開口する一辺を隙間なく覆うように、前記３辺のうち上下の辺の各端部に固定された側壁板とで構成されていることを特徴とする請求項１記載の配線ボックス。
【発明の詳細な説明】
【技術分野】
【０００１】
本発明はスイッチやコンセント等の配線器具を取付けるための壁面内等に設置される耐火構造の配線ボックスに関する。
【背景技術】
【０００２】
従来の耐火構造の配線ボックスは、開口部に内側へ突出するビス孔を有するカバー取付部が形成された金属材製の配線ボックス本体と、この配線ボックス本体のカバー取付部によって取付けられた配線器具を取付けるためのビス孔が形成された金属材製のカバー体と、このカバー体に取付けられるリング状の第１・第２のシール材と、前記配線ボックス本体の側面あるいは底面に形成された建物の設置部に複数本のビスで固定するためのビス挿入孔あるいは建物の設置部にボックス支持具を介して取付けるためのビス挿入孔とで構成されている。
【０００３】
このように構成された耐火構造の配線ボックスは、建物の設置部に複数本のビスで固定されたり、建物の設置部に固定されたボックス支持具に取付けられた後、壁板で覆われ、壁板上より配線ボックスの位置を探し、配線ボックスの開口部と対応する部分に孔を形成し、配線ボックス内の電線と配線器具とを配線した後、配線器具をビスでカバー体のビス孔と螺合して固定している。
【０００４】
しかしながら、建物の設置部にビスで固定されたり、ボックス支持具を介して取付けられている配線ボックスのカバー体が壁板と密着していることは難しく、また、配線器具をカバー体にビス止めする時に、カバー体を壁板に密着させるには、配線ボックス本体が建物の設置部に固定されている点を考えると難しく、壁板と配線ボックスのカバー体との間に隙間が生じるという欠点があった。
【先行技術文献】
【特許文献】
【０００５】
【特許文献１】特開２０１３−２７１０８号公報
【発明の概要】
【発明が解決しようとする課題】
【０００６】
本発明は以上のような従来の欠点に鑑み、配線器具をカバー体にビス止めすることによる配線ボックス本体の壁板側への移動で、カバー体を壁板と圧縮状態で密着させることができ、配線ボックス本体内へ火災の侵入を確実に阻止することができ、耐火構造を保ち、かつ遮音することができる配線ボックスを提供することを目的としている。
【０００７】
本発明の前記ならびにそのほかの目的と新規な特徴は次の説明を添付図面と照らし合わせて読むと、より完全に明らかになるであろう。
【０００８】
ただし、図面はもっぱら解説のためのものであって、本発明の技術的範囲を限定するものではない。
【課題を解決するための手段】
【０００９】
上記目的を達成するために、本発明は長方形状の３辺かつ正面視コ字型状の側壁を有し、かつ建物の設置部の壁板の背面側に配設される金属材製の配線ボックス本体と、前記３辺で形成された側壁の上部開口部に一体あるいは固定状態で取付けられ、かつ該配線ボックス本体に配線器具を取付けるための少なくとも２個以上の取付部を有するカバー部と、前記配線ボックス本体のボックス支持板に取り付けられる側の端部に外方へ突出するように設けられた取付金具と、この取付金具と前後方向にスライド移動可能に係合し、前記配線ボックス本体を前後方向にスライド移動可能に前記建物の設置部に設置することができる、あるいは前記建物の設置部にボックス支持具を介して設置することができるビス挿入孔が形成された前記ボックス支持板とから成り、前記取付部に螺合する複数のビスを介して前記配線ボックス本体を、そのカバー部が前記建物の設置部の壁板の背面に密着状態と成るようにすることができることを特徴とする配線ボックスを構成している。
【発明の効果】
【００１０】
以上の説明から明らかなように、本発明にあっては次に列挙する効果が得られる。
（１）請求項１により、配線器具をカバー部の取付部にビスで取付けると、壁板の背面にカバー部が密着するように配線ボックス本体をボックス支持板と取付金具の取付けによって移動させることができる。  
【００１１】
したがって、配線ボックス本体の開口部側が壁板によって密閉され、火災が内部に侵入するのを確実に防止することができるとともに、遮音することができる。
（２）前記（１）によって、配線ボックス本体が少し曲がって建物の設置部に設置されたとしても、ボックス支持板と取付金具の取付けの遊びおよび前後方向のスライド移動によって、少し曲がっての取付けを吸収して、カバー部を壁板の背面に密着するように取付けることができる。
【００１２】
したがって、配線ボックス本体の建物の設置部への取付けを気楽に行なうことができる。
（３）前記（１）により、配線器具をカバー部の取付部にビスによって取付けることにより、自動的にカバー部を壁板の背面に密着するように固定できる。
したがって、カバー部を壁板の背面に密着させる作業を、簡単で、楽に行なうことができる。
（４）請求項２も前記（１）〜（３）と同様な効果が得られるとともに、ボックス支持板より配線ボックス本体が脱落したりするのを確実に防止することができる。
（５）請求項３も前記（１）〜（３）と同様な効果が得られるとともに、曲げ加工した配線ボックス体と側壁板とを固定する作業で、配線ボックス本体とカバー部を形成することができ、比較的容易に製造することができる。
【図面の簡単な説明】
【００１３】
【図１】本発明を実施するための第１の形態の正面図。
【図２】本発明を実施するための第１の形態の平面図。
【図３】本発明を実施するための第１の形態の配線ボックス本体の正面図。
【図４】本発明を実施するための第１の形態の配線ボックス本体の平面図。
【図５】本発明を実施するための第１の形態の配線ボックス本体の側面図。
【図６】本発明を実施するための第１の形態のボックス支持板の正面図。
【図７】本発明を実施するための第１の形態のボックス支持板の平面図。
【図８】本発明を実施するための第１の形態のボックス支持板の側面図。
【図９】本発明を実施するための第１の形態の取付け状態の説明図。
【図１０】本発明を実施するための第１の形態のボックス支持板を用いた取付け状態の説明図。
【図１１】本発明を実施するための第１の形態のボックス支持板を用いた異なる取付け状態の説明図。
【図１２】図９の１２−１２線に沿う断面図。
【図１３】本発明を実施するための第２の形態の正面図。
【図１４】本発明を実施するための第２の形態の平面図。
【図１５】本発明を実施するための第２の形態の取付け状態の説明図。
【図１６】図１５の１６−１６線に沿う断面図。
【図１７】本発明を実施するための第３の形態の正面図。
【図１８】本発明を実施するための第３の形態の平面図。
【図１９】本発明を実施するための第３の形態の取付け状態の説明図。
【図２０】本発明を実施するための第４の形態の正面図。
【図２１】本発明を実施するための第４の形態の平面図。
【図２２】本発明を実施するための第４の形態の取付け状態の説明図。
【図２３】本発明を実施するための第５の形態の正面図。
【図２４】本発明を実施するための第５の形態の平面図。
【図２５】本発明を実施するための第５の形態の取付け状態の説明図。
【発明を実施するための形態】
【００１４】
以下、図面に示す本発明を実施するための形態により、本発明を詳細に説明する。
【００１５】
図１ないし図１２に示す本発明を実施するための第１の形態において、１は本発明の耐火構造の配線ボックスで、この配線ボックス１は耐火構造の上部開口部２（図１では手前側）に一体形成されたカバー部３および側壁９ａにケーブル挿入孔４を有する配線ボックス本体５と、この配線ボックス本体５の後述するボックス支持板８に対して取付ける側壁板１０側の端部に外方へ突出するように設けられた取付金具６と、この取付金具６と前後方向にスライド移動可能に係合し、前記配線ボックス本体５のカバー部３に対し、前後方向にスライド移動可能に建物の設置部に設置することができる、上下部に長孔状のビス挿入孔７、７が形成されたボックス支持板８とで構成されている。
【００１６】
前記配線ボックス本体５は、金属材製で平面視１個用の長方形状に形成されたもので、合計３辺９ａ、９ｂ、９ａは、正面視コ字型状に折り曲げられて隙間なく形成されるとともに、該３辺９ａ、９ｂ、９ａの縁部分には端板に相当するコ字型状のカバー部３ａ、３ｂ、３ａが形成されて、それらの接続部３ｅ、３ｅも隙間なく形成された配線ボックス体９を有する。そして、この配線ボックス体９は、前記側壁（３辺９ａ、９ｂ、９ａ）の開口する一辺に、さらにカバー部３ｃが形成され、前記コ字型状の側壁の開口を隙間なく覆うように接着剤や溶接により固定された側壁板１０（取付端部）を有する。加えて、前記配線ボックス体９の対向するカバー部３ａ、３ａの中央部に内側へ突出するように形成された配線器具２８を取付けるためのビスと螺合する上端部寄り下端部が順次小径となる逆山形形状のビス孔の取付部１１、１１が形成されている。この取付部１１、１１にはドーナツ状の検出用の磁石１３、１３が固定されている。
【００１７】
なお、前記側壁板１０のカバー部３ｃと前記配線ボックス体９のカバー部３ａ、３ａとは隙間が生じないように形成されている。
【００１８】
また、配線ボックス体９の３辺９ａ、９ｂ、９ａの接合部３ｅ、３ｅを隙間なくしたり、カバー部３ａ、３ｂ、３ａおよび側壁板１０のカバー部３ｃと配線ボックス体９の接合部も隙間なくするために高精密な折り曲げ加工をしたり、あるいは耐火性の接着剤や塗料を用いて耐火性の配線ボックス体９にしてもよい。
【００１９】
前記取付金具６は前記側壁板１０の上下端部にコ字状に折り曲げて一体形成された係合片１２、１２と、この係合片１２、１２の一方の端部に形成したストッパー部となる切欠部１４とで構成されている。
【００２０】
前記ボックス支持板８は図６ないし図８に示すように、前記配線ボックス体９の後端部と係止する係止片１５が端部に形成された板状のボックス支持板本体１６と、このボックス支持板本体１６の上下部に形成された建物の設置部１７へビス１８、１８で固定するための長孔状のビス挿入孔７、７と、前記ボックス支持板本体１６の上下部寄りの部位に、前記取付金具６の係合片１２、１２が前後方向にスライド移動できるよう係合させることができるように切り欠き、曲げ形成されたアングル状の係合部１９、１９と、この係合部１９、１９の上部の係合部１９より下部位置に設けた前記取付金具６の係合片１２の切欠部１４の端部と係合して、配線ボックス体９の脱落を阻止するストッパー片２０と、前記ボックス支持板本体１６のほぼ中央部に形成されたボックス支持具取付ビス孔２１と、このボックス支持具取付ビス孔２１の上下部位に形成されたボックス支持具係止用長孔２２、２２とで構成されている。
【００２１】
上記構成の配線ボックス１は図９に示すように、該配線ボックス１を設置する部位の建物の設置部１７に、ボックス支持板８を、ビス挿入孔７、７を通したビス１８、１８で固定する。
【００２２】
しかる後、配線ボックス本体５を取付金具６の係合片１２、１２を係合部１９、１９に係合させて後方へ押し込み、ストッパー片２０より後方に位置させる。
【００２３】
なお、配線ボックス１を建物の設置部１７に設置する前後に、配線ボックス１で配線する配線２３の端部を内部に収納する。
【００２４】
この時、配線ボックス本体５のケーブル挿入孔４には可撓管２４を取付けた耐火コネクタ２５を用いて配線する。
【００２５】
この状態で、配線ボックス１は壁板２６で覆われる作業が行なわれる。この作業後に、壁板２６上より、壁板２６で埋設された配線ボックス１を探し、探し当てると、該配線ボックス１の開口部２と対応する部位の壁板２６に孔２７を形成し、配線ボックス１内の電線と配線器具２８とを配線した後、配線器具２８をビス２９、２９でカバー部３ａ、３ａの上端部寄り下端部が順次小径となる逆山形形状の取付部１１、１１と螺合させることにより、カバー部３ａ、３ｂ、３ａ、３ｃと一体形成された配線ボックス本体５は壁板２６の背面に密着するようにボックス支持板８と取付金具６の関係で前方へスライド移動して締付け固定される。
【００２６】
したがって、配線ボックス１の開口部２は壁板２６に密着した状態となるため、配線ボックス１内に火災が侵入するのを確実に防止することができ、かつ遮音することができる。
【００２７】
また、本発明の配線ボックス１は図１０に示すように、建物の設置部に複数本のビス１８、１８で取付けられた固定側ボックス支持具３０と、この固定側ボックス支持具３０に位置調整可能に取付けられる可動側ボックス支持具３１を用いて取付けたり、あるいは図１１に示すように、固定側ボックス支持具３０に前記図１０の取付け状態とは逆に、可動側ボックス支持具３１を取付けて配線ボックス１を取付けてもよい。
[発明を実施するための異なる形態]
次に、図１３ないし図２５に示す本発明を実施するための異なる形態につき説明する。なお、これらの本発明を実施するための異なる形態の説明に当って、前記本発明を実施するための第１の形態と同一構成部分には同一符号を付して重複する説明を省略する。
図１３ないし図１６に示す本発明を実施するための第２の形態において、前記本発明を実施するための第１の形態と主に異なる点は、カバー部３ａ、３ｂ、３ａ、３ｃの取付部１９、１９を除く部位に耐火性・遮音性のリング状のシール材３２を接着剤等で固定した点で、このように構成した配線ボックス１Ａにしても、前記本発明を実施するための第１の形態と同様な作用効果が得られるとともに、シール材３２で、より確実に配線ボックス１Ａの開口部２を壁板２６に密着させることができる。
【００２８】
図１７ないし図１９に示す本発明を実施するための第３の形態において、前記本発明を実施するための第１の形態と主に異なる点は、２個用の配線ボックス体９Ａにするとともに、対向するカバー部３ａ、３ａの中央部に間仕切り取付け凹部３３、３３を形成し、該間仕切り取付け凹部３３、３３の両端が支持される間仕切り３４、この間仕切り３４の下端部の配線ボックス体９Ａの底面に形成した、該間仕切り３４を支持する複数個の支持突片３５、３５、３５、３５を形成した点で、このような２個用の配線ボックス体９Ａを用いて構成した配線ボックス１Ｂにしても、前記本発明を実施するための第１の形態と同様な作用効果が得られる。
【００２９】
図２０ないし図２２に示す本発明を実施するための第４の形態において、前記本発明を実施するための第１の形態と主に異なる点は、２個用の配線ボックス体９Ｂにするとともに、対向するカバー部３ａ、３ａの両端部より３分の１の部位に間仕切り取付け凹部３３、３３、３３、３３を形成し、該間仕切り取付け凹部３３、３３、３３、３３に両端が支持される間仕切り３４、３４、この間仕切り３４、３４の下端部の配線ボックス体９Ｂの底面に形成した、該間仕切り３４、３４を支持する複数個の支持突片３５、３５、３５、３５および３５、３５、３５、３５を形成した点で、このような３個用の配線ボックス体９Ｂを用いて構成した配線ボックス１Ｃにしても、前記本発明を実施するための第１の形態と同様な作用効果が得られる。
なお、配線ボックス体９、９Ａ、９Ｂを４個用、５個用や６個以上にしたものにも同様に形成することができる。
【００３０】
図２３ないし図２５に示す本発明を実施するための第５の形態において、前記本発明を実施するための第１の形態と主に異なる点は、側壁９ａ、９ｂ、９ａ、９ｂが形成された配線ボックス体９Ｃと、この配線ボックス体９Ｃの開口部９に取付部１１、１１を形成したリング状のカバー部３Ａを溶接あるいは接着剤で固定した配線ボックス本体５Ａを用いた点で、このような配線ボックス本体５Ａを用いて構成した配線ボックス１Ｄにしても、前記本発明を実施するための第１の形態と同様な作用効果が得られる。
なお、このような構造は２個用、３個用、５個用や６個以上にした配線ボックスにも使用することができる。
【００３１】
前記本発明の各実施の形態では壁面にケーブル挿入孔４を形成するものについて説明したが、本発明はこれに限らず、使用する時に除去してケーブル挿入孔を形成することができるノック穴だけを形成したり、ノック穴とケーブル挿入孔との両方を設けたものであってもよい。
【産業上の利用可能性】
【００３２】
本発明は配線ボックスを製造する産業で利用される。
【符号の説明】
【００３３】
１、１Ａ、１Ｂ、１Ｃ、１Ｄ：配線ボックス、
２：開口部、        ３：カバー部、
４：ケーブル挿入孔、    ５：配線ボックス本体、
６：取付金具、      ７：ビス挿入孔、
８：ボックス支持板、    ９、９Ａ、９Ｂ：配線ボックス体、
１０：側壁板、      １１：取付部、
１２：係合片、      １３：ドーナツ状の磁石、
１４：切欠部、      １５：係止片、
１６：ボックス支持板本体、  １７：設置部、
１８：ビス、        １９：係合部、
２０：ストッパー片、    
２１：ボックス支持具取付ビス孔、
２２：ボックス支持具係止用長孔、
２３：配線、        ２４：可撓管、
２５：耐火コネクタ、    ２６：壁板、
２７：孔、        ２８：配線器具、
２９：ビス、        ３０：固定側ボックス支持具、
３１：可動側ボックス支持具、  ３２：シール材、
３３：間仕切り取付け凹部、  ３４：間仕切り、
３５：支持突片。
【図１】
0006002094.tif 000002
【図２】
0006002094.tif 000003
【図３】
0006002094.tif 000004
【図４】
0006002094.tif 000005
【図５】
0006002094.tif 000006
【図６】
0006002094.tif 000007
【図７】
0006002094.tif 000008
【図８】
0006002094.tif 000009
【図９】
0006002094.tif 000010
【図１０】
0006002094.tif 000011
【図１１】
0006002094.tif 000012
【図１２】
0006002094.tif 000013
【図１３】
0006002094.tif 000014
【図１４】
0006002094.tif 000015
【図１５】
0006002094.tif 000016
【図１６】
0006002094.tif 000017
【図１７】
0006002094.tif 000018
【図１８】
0006002094.tif 000019
【図１９】
0006002094.tif 000020
【図２０】
0006002094.tif 000021
【図２１】
0006002094.tif 000022
【図２２】
0006002094.tif 000023
【図２３】
0006002094.tif 000024
【図２４】
0006002094.tif 000025
【図２５】
0006002094.tif 000026